(57)【要約】【課題】音響測定試験等において、マイクロフォンを測定対象に対して所定の距離を隔てて設置することができるマイク位置調整冶具を提供すること。【解決手段】マイク位置調整冶具１によれば、マイク１０の音入力部１０ａを把持部２で把持しつつ突出部３の先端３ａを対象に当接させた状態でマイク１０を設置し、その後、マイク位置調整冶具１をマイク１０から取り外すという簡単な操作で、マイク１０を対象に対して所定の距離Ｄを隔てて設置することができる。よって、マイク１０の１本１本について物差し等を使って対象との距離を測りつつ設置する必要がないので、マイク１０の設置作業を容易に行うことができる。従って、６０本以上のマイク１０の設置が必要となる音響測定試験等においても、マイク１０の設置を容易に行うことができる。【選択図】図３
2019097059.tif 000002
【特許請求の範囲】
【請求項１】
マイクロフォンの設置位置を調整するマイク位置調整冶具であって、
前記マイクロフォンを把持する把持部と、その把持部から突出した突出部とを備え、
前記把持部で前記マイクロフォンを把持しつつ前記突出部の先端を対象に当接させた状態で前記マイクロフォンを設置することで、前記マイクロフォンを前記対象に対して所定の距離を隔てて設置するものであることを特徴とするマイク位置調整冶具。
【請求項２】
前記把持部の中心は、前記突出部の先端と同軸上に配置されることを特徴とする請求項１記載のマイク位置調整冶具。
【請求項３】
前記把持部には、平板状の舌部が形成されていることを特徴とする請求項１又は２に記載のマイク位置調整冶具。
【請求項４】
前記舌部は、前記突出部と交差する角度に形成されていることを特徴とする請求項３記載のマイク位置調整冶具。
【請求項５】
前記突出部の先端は、先細り状に形成されていることを特徴とする請求項１から４のいずれかに記載のマイク位置調整冶具。
【発明の詳細な説明】
【技術分野】
【０００１】
本発明は、音響測定試験等において、マイクロフォンを測定対象に対して所定の距離を隔てて設置するためのマイク位置調整冶具に関するものである。
【背景技術】
【０００２】
従来、音響測定試験等においては、マイクロフォンを手動で設置していた。このマイクロフォンの設置は、マイクロフォンと測定対象との距離を、１本ずつ物差し等で測って行われる。
【先行技術文献】
【特許文献】
【０００３】
【特許文献１】実開平４−９５００８号公報
【発明の概要】
【発明が解決しようとする課題】
【０００４】
例えば、鉄道車両等の車内騒音を測定する場合には、６０本以上のマイクロフォンの設置が必要となる。
【０００５】
しかしながら、かかる場合、マイクロフォンの設置は、６０本以上のマイクロフォンについて、それぞれ測定対象となる鉄道車両の床面等との距離を１本ずつ物差し等で測った上で行わなければならず、その設置作業が煩雑になって準備に長時間を要してしまうという問題点があった。
【０００６】
なお、特許文献１には、超小型マイク２を外耳道入口（所定の位置）に取付ける器具が開示されているが、マイクロフォンを測定対象に対して所定の距離を隔てて設置するものではない。
【０００７】
本発明は、上述した問題点を解決するためになされたものであり、マイクロフォンの設置作業を容易に行うことができるマイク位置調整冶具を提供することを目的としている。
【課題を解決するための手段】
【０００８】
この目的を達成するために本発明のマイク位置調整冶具は、マイクロフォンの設置位置を調整するものであり、前記マイクロフォンを把持する把持部と、その把持部から突出した突出部とを備えている。
【発明の効果】
【０００９】
請求項１記載のマイク位置調整冶具によれば、把持部でマイクロフォンを把持しつつ突出部の先端を対象に当接させた状態でマイクロフォンを設置し、その後、本マイク位置調整冶具をマイクロフォンから取り外すという簡単な操作で、マイクロフォンを対象に対して所定の距離を隔てて設置することができる。よって、マイクロフォンの設置作業を容易に行うことができる。
【００１０】
請求項２記載のマイク位置調整冶具によれば、請求項１の奏する効果に加え、把持部の中心は突出部の先端と同軸上に配置されるので、把持部に把持されたマイクロフォンの中心軸は、突出部の先端と同軸上に配置される。よって、突出部の先端を対象に当接させた状態でマイクロフォンを設置することで、マイクロフォンを対象に対して正確に所定の距離を隔てて設置することができる。
【００１１】
請求項３記載のマイク位置調整冶具によれば、請求項１又は２の奏する効果に加え、把持部には平板状の舌部が形成されている。よって、マイクロフォンを設置した後、舌部を操作することで、本マイク位置調整冶具をマイクロフォンから容易に取り外すことができる。
【００１２】
請求項４記載のマイク位置調整冶具によれば、請求項３の奏する効果に加え、舌部は突出部と交差する角度に形成されているので、舌部の操作を容易に行うことができる。
【００１３】
請求項５記載のマイク位置調整冶具によれば、請求項１から４のいずれかの奏する効果に加え、突出部の先端は先細り状に形成されているので、マイクロフォンからの本マイク位置調整冶具の取り外しを一層容易に行うことができる。
【図面の簡単な説明】
【００１４】
【図１】本発明の一実施形態におけるマイク位置調整治具の斜視図である。
【図２】マイク位置調整冶具の使用方法の説明図である。
【図３】マイク位置調整冶具の使用方法の説明図である。
【発明を実施するための形態】
【００１５】
以下、本発明の好ましい実施形態について、添付図面を参照して説明する。まず、図１を参照して、本実施形態におけるマイク位置調整治具１を説明する。図１は、本発明の一実施形態におけるマイク位置調整治具１の斜視図である。なお、理解を容易にするために、本マイク位置調整治具１に把持される円筒状のワイヤレス式マイクロフォン（以下「マイク」と称す）１０を破線で図示している。
【００１６】
マイク位置調整治具１は、マイク１０の設置位置、即ちマイク１０と対象との設置距離を調整するためのものであり、主に、音響測定試験等において、マイク１０を測定対象に対して所定の距離Ｄを隔てて設置するために用いられる。マイク位置調整治具１は、マイク１０を把持する把持部２と、その把持部２の底部２ａから突出する突出部３とを有して構成される。把持部２は、一側が開放された開放部２ｂを有し、平面視Ｃ字状に形成される。開放部２ｂは、その略中間部から底部２ａにかけて切り欠き２ｂ１が形成されており、撓みやすくされている。マイク１０は、この開放部２ｂを介して把持部２内へ挿入され、また、この開放部２ｂを介して把持部２内から取り外される。
【００１７】
把持部２の開放部２ｂ側には、底部２ａに連設した舌部２ｃが設けられる。舌部２ｃは、把持部２に把持されたマイク１０を取り外す際に操作される部材である。舌部２ｃは、先端が半円の舌形状に形成されると共に、底部２ａに対して把持部２側へ傾斜して形成される（即ち、舌部２ｃは、突出部３と交差する角度に形成される）。マイク１０を把持部２に把持した状態で、舌部２ｃを把持部２側へ操作することで、マイク１０を開放部２ｂを介して把持部２から取り外すことができる。
【００１８】
突出部３は、対象に対するマイク１０の設置距離を、所定の距離Ｄに調整するためのものである。突出部３の長さと底部２ａの厚さとの和は所定の距離Ｄにされている。よって、マイク１０の音入力部１０ａを把持部２の底部２ａに当接させた状態で、マイク１０を把持部２に把持し、突出部３の先端３ａを対象に当接させることで、マイク１０の音入力部１０ａを対象に対して所定の距離Ｄを隔てて設置することができる（図３（ｄ）参照）。なお、突出部３の長さは、対象に対するマイク１０の設置距離に応じて（即ち、所定の距離Ｄに応じて）、複数種用意される。
【００１９】
突出部３の先端３ａは、把持部２に把持されたマイク１０の中心軸Ｏと同軸上に配置される。よって、マイク１０を対象に対して、より正確な位置に設置することができる。また突出部３の先端３ａは、先細り状に形成されている。よって、舌部２ｃを把持部２側へ操作してマイク位置調整治具１をマイク１０から取り外す際に、突出部３の先端３ａが対象に引っかかることがないので、把持部２に把持されたマイク１０の取り外しを容易に行うことができる（図３参照）。更に、突出部３には、菱形形状の開口３ｂが複数設けられている。かかる開口３ｂにより、突出部３（マイク位置調整治具１）の軽量化と材料の低減を図ることができる。なお、当然のことながら開口３ｂの形状は、菱形形状に限られるものではない。
【００２０】
次に、図２及び図３を参照して、マイク位置調整冶具１の使用方法を説明する。図２及び図３は、音響測定試験において、鉄道車両の車室内２０の騒音を測定する場合、特に床面２１に対する騒音を測定する場合に、マイク１０を測定対象となる床面２１に対して所定の距離Ｄを隔てて設置するマイク位置調整冶具１の使用方法の説明図である。
【００２１】
マイク１０の設置では、まず、鉄道車両の車室内２０の部材２２にクリップ２３を装着し（図２（ａ））、このクリップ２３でマイク１０を把持する（図２（ｂ））。このときのマイク１０の把持方向は、測定対象となる床面２１に音入力部１０ａが向かうようにする。次に、マイク１０の音入力部１０ａが把持部２の底部２ａに当接するように、マイク１０の先端をマイク位置調整治具１の把持部２内へ挿入する（図２（ｃ））。その後、クリップ２３を一旦緩めてマイク１０をクリップ２３内で上下動させ（図２（ｃ）において床面２１側へ移動させ）、マイク位置調整治具１の突出部３の先端３ａを床面２１に当接させる。この状態で一旦緩めたクリップ２３を元に戻す。これにより、マイク１０の音入力部１０ａを測定対象となる床面２１から所定の距離Ｄを隔てた位置に設置することができる（図２（ｄ））。
【００２２】
マイク１０を測定対象に対し所定の距離Ｄを隔てた位置に設置した後は（図３（ａ））、マイク１０からマイク位置調整治具１を取り外す。マイク位置調整治具１の取り外しは、舌部２ｃをマイク１０側へ操作することにより行われる。即ち、舌部２ｃを把持部２に把持されたマイク１０側へ押し出す（図３（ｂ））。すると、マイク位置調整治具１は矢印方向（図３（ｂ））へ回転し、その結果、把持部ｂの開放部２ｂからマイク１０の先端が抜け出て、マイク１０からマイク位置調整治具１が取り外される。取り外されたマイク位置調整治具１は床面２１へ落下する（図３（ｃ））。この落下したマイク位置調整治具１を回収することで、測定対象となる床面２１に対し所定の距離Ｄを隔てた位置へのマイク１０の設置が完了する（図３（ｄ））。
【００２３】
マイク１０から取り外され回収されたマイク位置調整治具１は、他のマイク１０の設置位置の調整に用いられる。音響測定試験は、このようにして１の車室内２０に６０本以上のマイク１０を設置した上で、鉄道車両を走行させることにより行われる。
【００２４】
以上説明した通り、マイク位置調整冶具１によれば、マイク１０の音入力部１０ａを把持部２で把持しつつ突出部３の先端３ａを対象に当接させた状態でマイク１０を設置し、その後、マイク位置調整冶具１をマイク１０から取り外すという簡単な操作で、マイク１０を対象に対して所定の距離Ｄを隔てて設置することができる。よって、マイク１０の１本１本について物差し等を使って対象との距離を測りつつ設置する必要がないので、マイク１０の設置作業を容易に行うことができる。従って、６０本以上のマイク１０の設置が必要となる音響測定試験等においても、マイク１０の設置を容易に行うことができる。
【００２５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００２６】
例えば、本マイク位置調整治具１を、音響測定試験におけるマイク１０の設置以外の用途に使用することは当然に可能である。また、把持部２と突出部３とを分離可能に構成し、マイク１０の種類に合わせた把持部２を複数種類用意すると共に、長さの異なる突出部３を複数種類用意するようにしても良い。かかる構成として、複数種類の把持部２の一つと複数種類の突出部３の一つとを組み合わせてマイク位置調整治具１を組み立てれば、各種のマイク１０に対応し且つ各種の設置距離に適応したマイク位置調整治具１とすることができる。なお、把持部２と突出部３との結合は、形状の合った凹部と凸部とを一方と他方とに設け、それらを嵌め合わせるようにしても良いし、或いは、一方に雄ねじを他方に雌ねじを形成し、それらを螺合して嵌め合わせるようにしても良い。
【符号の説明】
【００２７】
１        マイク位置調整治具
２        把持部
２ａ      底部
２ｂ      開放部
２ｃ      舌部
３        突出部
３ａ      先端
１０      ワイヤレス式マイクロフォン（マイク）
１０ａ    音入力部
Ｄ        所定の距離
【図１】
2019097059.tif 000003
【図２】
2019097059.tif 000004
【図３】
2019097059.tif 000005